(57)【要約】【課題】寝心地を改善したマットレスを提供すること。【解決手段】本発明では、マットレス（１）において、横臥者の全身にわたって同一高さで形成されたベース部（３）の上部に、横臥者の肩部及び膝部に対応する位置を高くしたサポート部（４）を形成することにした。また、本発明では、前記ベース部（３）及びサポート部（４）は、前後左右に並べた複数のコイルスプリング（６，７，８，１４，１５）で形成され、ベース部（３）のコイルスプリング（６，７，８）よりもサポート部（４）のコイルスプリング（１４，１５）のコイル径を小さくすることにした。さらに、本発明では、前記ベース部（３）は、横臥者の頭側部分と足側部分に比べて間の腰部分が硬いことにした。【選択図】図２
2019025129.tif 000002
【特許請求の範囲】
【請求項１】
横臥者の全身にわたって同一高さで形成されたベース部の上部に、横臥者の肩部及び膝部に対応する位置を高くしたサポート部を形成したことを特徴とするマットレス。
【請求項２】
前記ベース部及びサポート部は、前後左右に並べた複数のコイルスプリングで形成され、ベース部のコイルスプリングよりもサポート部のコイルスプリングのコイル径を小さくしたことを特徴とする請求項１に記載のマットレス。
【請求項３】
前記ベース部は、横臥者の頭側部分と足側部分に比べて間の腰部分が硬いことを特徴とする請求項１又は請求項２に記載のマットレス。
【発明の詳細な説明】
【技術分野】
【０００１】
本発明は、マットレスに関するものである。
【背景技術】
【０００２】
従来より、マットレスは、内部のウレタンシートやコイルスプリングシートなどのクッション材を同一高さの長方体形状に形成したものが用いられている。
【０００３】
たとえば、従来のコイルスプリングシートを用いたクッション材としては、前後方向及び左右方向に同一形状の複数のコイルスプリング（たとえば、ポケットコイル）を並べて横臥者の全身にわたって同一高さにしたものが知られている（たとえば、特許文献１参照。）。
【先行技術文献】
【特許文献】
【０００４】
【特許文献１】特開２０１５−２１３６５７号公報
【発明の概要】
【発明が解決しようとする課題】
【０００５】
従来においては、マットレスに横臥する者の背面（マットレス表面との接触面）に頭部や腰部や足部などで凹凸があるにもかかわらず、マットレスは、横臥者の全身にわたって同一高さ（平坦面）で形成されていた。
【０００６】
そのため、横臥者の身体形状にマットレスが良好に適合しているとは言い切れず、さらなる寝心地の改善が望まれていた。
【課題を解決するための手段】
【０００７】
そこで、請求項１に係る本発明では、マットレスにおいて、横臥者の全身にわたって同一高さで形成されたベース部の上部に、横臥者の肩部及び膝部に対応する位置を高くしたサポート部を形成することにした。
【０００８】
また、請求項２に係る本発明では、前記請求項１に係る本発明において、前記ベース部及びサポート部は、前後左右に並べた複数のコイルスプリングで形成され、ベース部のコイルスプリングよりもサポート部のコイルスプリングのコイル径を小さくすることにした。
【０００９】
また、請求項３に係る本発明では、前記請求項１又は請求項２に係る本発明において、前記ベース部は、横臥者の頭側部分と足側部分に比べて間の腰部分を硬くすることにした。
【発明の効果】
【００１０】
そして、本発明では、以下に記載する効果を奏する。
【００１１】
すなわち、本発明では、マットレスにおいて、横臥者の全身にわたって同一高さで形成されたベース部の上部に、横臥者の肩部及び膝部に対応する位置を高くしたサポート部を形成することにしているために、横臥者の肩部や膝部をサポート部で良好に支持することができ、横臥者の身体形状に良好に適合させることができ、寝心地を改善することができる。
【００１２】
特に、ベース部及びサポート部が前後左右に並べた複数のコイルスプリングで形成され、ベース部のコイルスプリングよりもサポート部のコイルスプリングのコイル径を小さくした場合には、より一層横臥者の肩部や膝部の身体形状に良好に適合させることができ、寝心地を改善することができる。
【００１３】
また、ベース部が横臥者の頭側部分と足側部分に比べて間の腰部分を硬くした場合には、サポート部よりも低くなっている横臥者の腰や尻が必要以上に沈み込んでしまうのを防止することができるので、これによっても寝心地を改善することができる。
【図面の簡単な説明】
【００１４】
【図１】本発明に係るマットレスを示す正面図。
【図２】同側面断面図。
【発明を実施するための形態】
【００１５】
以下に、本発明に係るマットレスの具体的な構成について図面を参照しながら説明する。
【００１６】
図１及び図２に示すように、マットレス１は、矩形箱型袋状の外装材２の内部にクッション材として機能するベース部３とサポート部４とをシート５を挟んで収容している。なお、以下の説明では、便宜的にマットレス１において横臥者の頭部側を前側（図１及び図２の左側）とするとともに足部側を後側（図１及び図２の右側）とし、横臥者の身長方向となる長手方向を前後方向（図１及び図２の左右方向）とし、それと直交する短手方向を左右方向（図１の上下方向、図２の前後方向）とする。
【００１７】
ベース部３は、前後方向及び左右方向に複数のコイルスプリング6,7,8を並べて形成したコイルスプリングシートとなっている。各コイルスプリング6,7,8は、収容袋の内部に収容されており、ポケットコイルを構成している。
【００１８】
このベース部３は、横臥者の頭側部分９（前側部分）と腰部分10（中央部分）と足側部分11（後側部分）とに３個に区画されている。頭側部分９、腰部分10、足側部分11は、それぞれコイルスプリング6,7,8を前後方向及び左右方向に並べて形成している。そして、頭側部分９のコイルスプリング６と足側部分11のコイルスプリング８は、その間の腰部分10のコイルスプリング７よりも柔らかいコイルスプリングを用いている。これにより、ベース部３は、横臥者の頭側部分９と足側部分11に比べて間の腰部分10が硬くなっている。そのため、ベース部３は、横臥者の背面（マットレス１の上面との接触面）において最も上下に凹凸する腰部及び臀部がサポート部４の存在によって従来の平坦なマットレスよりも肩部や膝部に対して低くなってしまうが、その横臥者の腰部及び臀部を硬い腰部分10で横臥者の身体形状（背面の凹凸形状）に沿って良好に支持できる。これにより、マットレス１では、横臥者の腰にかかる負担を軽減することができ、寝心地を向上させることができる。なお、ベース部３は、頭側部分９と足側部分11とを同じ硬さとしてもよく、いずれか一方を他方に比べて硬くしてもよい。
【００１９】
サポート部４は、ベース部３の上部において横臥者の肩部に対応する位置の肩部分12とベース部３において横臥者の膝部に対応する位置の膝部分13とに区画されている。肩部分12及び膝部分13は、前後方向及び左右方向に複数のコイルスプリング14,15を並べて形成したコイルスプリングシートとなっている。各コイルスプリング14,15は、収容袋の内部に収容されており、ポケットコイルを構成している。
【００２０】
このサポート部４において、肩部分12のコイルスプリング14と膝部分13のコイルスプリング15は、ベース部３のコイルスプリング6,7,8よりもコイル径を小さくして個数を多くしている。そのため、サポート部４は、横臥者の背面（マットレス１の上面との接触面）において腰部や尻部よりも細かく凹凸する肩部や膝部を小径のコイルスプリング14,15で横臥者の身体形状（背面の凹凸形状）に良好に沿って支持できる。これにより、マットレス１では、横臥者の肩部や膝部に密接して横臥者を支持することができ、寝心地を向上させることができる。なお、サポート部４は、肩部分12と膝部分13とを同じ硬さとしてもよく、いずれか一方を他方に比べて硬くしてもよい。
【００２１】
以上に説明したように、マットレス１は、横臥者の全身にわたって同一高さで形成されたベース部３の上部に、横臥者の肩部及び膝部に対応する位置を高くしたサポート部４を形成した構成となっている
【００２２】
そのため、上記マットレス１では、横臥者の肩部や膝部をサポート部４で良好に支持することができ、横臥者の身体形状に良好に適合させることができ、寝心地を改善することができる。
【００２３】
また、上記マットレス１は、ベース部３及びサポート部４が前後左右に並べた複数のコイルスプリング6,7,8,14,15で形成され、ベース部３のコイルスプリング6,7,8よりもサポート部４のコイルスプリング14,15のコイル径を小さくした構成となっている。
【００２４】
そのため、上記構成のマットレス１では、より一層横臥者の肩部や膝部の身体形状に良好に適合させることができ、寝心地を改善することができる。
【００２５】
さらに、上記マットレス１は、ベース部３が横臥者の頭側部分９と足側部分11に比べて間の腰部分10を硬くした構成となっている。
【００２６】
そのため、上記構成のマットレス１では、サポート部４よりも低くなっている横臥者の腰や尻が必要以上に沈み込んでしまうのを防止することができるので、これによっても寝心地を改善することができる。
【００２７】
なお、上記マットレス１では、ベース部３とサポート部４とをシート５を介して積層して外装材２の内部に収容することでベース部３とサポート部４とを一体的に形成して、シート５によってベース部３に対してサポート部４が前後左右にずれず、かつ、ベース部３にサポート部４が沈み込まないようにしている。しかしながら、本発明は、一体的に形成した上記マットレス１に限られず、ベース部３とサポート部４（さらには、肩部分12と膝部分13）とを分離可能とした構成でもよい。
【符号の説明】
【００２８】
１  マットレス                        ２  外装材
３  ベース部                          ４  サポート部
５  シート                            6,7,8  コイルスプリング
９  頭側部分                          10  腰部分
11  足側部分                          12  肩部分
13  膝部分                            14,15  コイルスプリング
【図１】
2019025129.tif 000003
【図２】
2019025129.tif 000004